(57)【要約】【課題】設置工事の、作業ロスを低減し、作業性を向上し、安全性も確保した温水暖房装置を提供すること。【解決手段】本発明の温水暖房装置は、熱交換ユニット２０内部に具備された電源板４１と、電源板４１によって、水回路と区画された電装部４０と、水回路と区画された電装部４０の前方に配置された操作部４２と、操作部取り付け金具４４を備え、操作部４２が、操作部取り付け金具４４によって、開閉する構成とする。【選択図】図５
2010121841.tif 000002
【特許請求の範囲】
【請求項１】
ヒートポンプサイクルにより温水を生成して、その温水で室内を暖房する温水暖房装置であって、
少なくとも、前記ヒートポンプサイクルと前記温水とが熱交換する水冷媒熱交換器と、前記温水を搬送するポンプで熱交換ユニットを構成し、
前記熱交換ユニットは電源板によって水回路と電装部に区画されるとともに、前記電装部の前方に取り付けられた操作部は取り付け金具によって開閉可能としたことを特徴とする温水暖房装置。
【請求項２】
電装部または電源接続部の前方に取り付けられた水圧表示部は、取り付け金具によって開閉可能ととしたことを特徴とする請求項１に記載の温水暖房装置。
【請求項３】
操作部と水圧表示部は、一つの取り付け金具に取り付けられたことを特徴とする請求項２に記載の温水暖房装置。
【請求項４】
水圧表示部の全周を、保護カバーと電源板で覆う構成としたことを特徴とする請求項１から３のいずれか１項に記載の温水暖房装置。
【請求項５】
電源板の、水圧表示部と並立する位置に抜き穴を設けたことを特徴とする請求項４に記載の温水暖房装置。
【発明の詳細な説明】
【技術分野】
【０００１】
本発明は、温水で暖房を行う温水暖房装置に関するものである。
【背景技術】
【０００２】
従来の温水暖房装置として、室外にヒートポンプユニットを配置し、室内に熱交換器ユニットとタンクユニットを配置した温水暖房装置がある（例えば、特許文献１参照）。一方、いわゆるヒートポンプ給湯機の付加機能として知られる床暖房では、ヒートポンプユニットとタンクユニットとを室外に配置し、室内の床暖房と室外のタンクユニットとは温水配管で接続されているため、寒冷地に設置した場合、温水配管が凍結してしまう恐れがある。そのため、特許文献１に開示されているような温水暖房装置は、室内と室外とが冷媒配管で接続されているため、凍結しにくいものであり、主に寒冷地等で設置されることが多く、非常に暖房装置としては有効なものである。一般的に熱交換ユニットの前面には、温水暖房装置を操作する操作部と、水回路内の圧力を表示する水圧表示部が配置されることが多く見られる。
【特許文献１】国際公開第２００５／１０６３４６号パンフレット
【発明の開示】
【発明が解決しようとする課題】
【０００３】
しかしながら、設置工事やメンテナンスを行なう際、熱交換ユニットの前面に配置された操作部及び水圧表示部を取り外し、接続結線作業や部品交換作業を行なわねばならず、作業性が悪いという課題を有していた。本発明は、前記従来の課題を解決するもので、熱交換ユニットの工事及びメンテナンス時における、作業性を向上させることができる温水暖房装置を提供することを目的とする。
【課題を解決するための手段】
【０００４】
前記従来の課題を解決するために、本発明の温水暖房装置は、熱交換ユニット内部に具備された電源板によって、水回路と区画された電装部の前方に取り付けられた、温水暖房装置の操作部が、取り付け金具によって開閉する構成としたことにより、操作部を脱着することなく、容易に電装部の部品交換が可能となり作業性を向上させることができる。
【発明の効果】
【０００５】
本発明は、熱交換ユニットの据付工事やメンテナンス時における作業性を向上させることができる温水暖房装置を提供することができる。
【発明を実施するための最良の形態】
【０００６】
第１の発明の温水暖房装置は、熱交換ユニットの内部に具備された電源板によって、水回路と区画された電装部の前方に取り付けられた、操作部を取り付け金具によって開閉する構成とすることにより、操作部を脱着することなく、容易に電装部の部品交換などのメンテナンスがおこなうことができる。
【０００７】
第２の発明の温水暖房装置は、熱交換ユニットの内部に具備された電源板によって、水回路と区画された電源接続部の前方に取り付けられた、水回路内の水圧表示部を、取り付け金具によって、開閉する構成とすることで、水圧表示部を脱着することなく、容易に結線作業を行なうことができる。
【０００８】
第３の発明の温水暖房装置は、特に第１または第２の発明において、前記熱交換ユニットの内部に具備された電源板によって、水回路と区画された電装部の前方に取り付け金具
によって取り付けられた、操作部と水圧表示部を、一体形成した取り付け金具によって、同時に開閉できる構成とするもので、操作部及び水圧表示部を脱着することなく、据付工事時や電装部のメンテナンス時における作業スペースを確保し、作業性を向上することができる。
【０００９】
第４の発明の温水暖房装置は、特に第１から第３の発明において、熱交換ユニットの水圧表示部の全周を保護カバーと電源板で覆う構成とするもので、水圧表示部の水配管接続から、万一水漏れが発生した場合の電装部への流出による発火、発煙を防止、安全性を向上することができる。
【００１０】
第５の発明の温水暖房装置は、特に第１から第４の発明において、前記熱交換ユニットの電装部と水回路を区画する電源板の、水圧表示部の全周を覆う構成を兼ねる部位に、打ち抜き穴を設けたもので、水圧表示部の水配管接続部から洩れた水は電源板打ち抜き穴を介して、水回路へ確実に排出することでき、さらに安全性を向上できる。
【００１１】
以下、本発明の実施の形態について、図面を参照しながら説明する。なお、この実施の形態によって本発明が限定されるものではない。
【００１２】
（実施の形態１）
図１は、本実施の形態における温水暖房装置の構成図である。図１において、本実施の形態の温水暖房装置は、冷凍サイクルを有するヒートポンプユニット１０、冷媒と水とが熱交換を行うプレート型の熱交換器を有する熱交換ユニット２０、内部に温水が流れて居住空間を暖める温水暖房端末３０を有している。熱交換ユニット２０と温水暖房端末３０は室内に設置され、ヒートポンプユニット１０は室外に設置されており、室内と室外とは冷媒配管で接続されている。そのため、低外気温度の状況下においても冷媒配管が凍結しにくく、特に外気温度が低くなる寒冷地などにおいては、水配管が屋外に設置されるヒートポンプ給湯機などに比べて暖房装置に適している。
【００１３】
ヒートポンプユニット１０には、空気と冷媒とで熱交換を行う蒸発器１１、冷媒を高温高圧冷媒に圧縮する圧縮機１２、熱交換ユニット２０の水冷媒熱交換器２１で放熱した後の冷媒を減圧する減圧装置１３が配設されており、水冷媒熱交換器２１と減圧装置１３と蒸発器１１と圧縮機１２とを順次冷媒配管にて環状に接続して冷凍サイクルを構成している。なお冷凍サイクル内の流れる冷媒には、Ｒ４１０ＡやＲ４０７Ｃや二酸化炭素などを用いる。
【００１４】
図２は、熱交換ユニット２０の構成を示す構成図である。図２に示すように、熱交換ユニット２０には冷媒と水とが熱交換を行うプレート型の水冷媒熱交換器２１、水冷媒熱交換器２１で暖められた温水を温水暖房端末３０に送るためのポンプ２２、管内の圧力を下げることを目的とする圧力逃がし弁２３、閉回路内に噛み込んだエアー逃がしを目的とする空気抜き弁２４、閉回路内の温水往き・戻りが流れているかを判断する流量計（フロースイッチ）２５、閉回路内の水圧を正常に保ち、破裂を防止することを目的とする膨張タンク２６が配置されており、ポンプ２２が駆動することによって、温水暖房端末３０内の湯水が流れて水冷媒熱交換器２１で、水と冷媒との間で熱交換がなされる。
【００１５】
図３は熱交換ユニット２０の外観斜視図で、図４は熱交換ユニット２０の内部斜視図である。図４に示すように、熱交換ユニット２０の内部は、コの字状の電源板に配置された電装部４０と、ポンプ２２や水冷媒熱交換器２１や水配管などで構成される水回路部に区画されている（水回路部の構成部品は図示せず）。そして、熱交換ユニット２０の電装部４０の前方に操作部４２と水圧表示部４３がそれぞれ取り付け金具４４、４５により固定されている。
【００１６】
図５は、別角度から見た熱交換ユニット２０の内部斜視図である。電装部４０と電源接続部５０の前方に配置した操作部４２と水圧表示部４３を操作部取り付け金具４４と水圧表示部取付け金具４５によって、開けた状態を示している。操作部４２と水圧表示部４３を取り外すことなく、操作部取り付け金具４４と水圧表示部取付け金具４５開閉できる構成により、電装部４０と電源接続部５０への配線接続作業やメンテナンス時の、作業性向上と作業ロスを低減することができる。
【００１７】
図６は、熱交換ユニット２０の要部斜視図である。水圧表示部４３の全周を保護カバー４７で覆った状態と、電装部４０と水回路を区画する電源板４１の水圧表示部４３と並立する位置に打ち抜き穴４８を設けた状態を示している。何かの原因で水圧表示部４３に接続された水配管４９からの水漏れが発生した場合でも、水圧表示部４３の全周を保護カバー４７と水圧表示部取り付け金具４５と水回路を区画する電源板４１で覆っているため、電源接続部５０の方への水の浸入を防ぎ、電源板４１に設けた打ち抜き穴４８より、電装部４０以外へ排水することができるため、水漏れによる、機器の発火・発煙を防止し、安全性を確保することができる。
【００１８】
（実施の形態２）
図７は、他の実施形態の熱交換ユニット２０の内部斜視図である。電装部４０の前方に配置した操作部４２と水圧表示部４３を一体形成した取り付け金具４６、同時に開けた状態を示している。操作部４２と水圧表示部４３を、一体形成した取り付け金具４６によって、開閉できる構成にすることで、操作部４２と水圧表示部４３を取り外すことなく、電装部４０への接続作業やメンテナンス時の、作業性向上と作業ロスをさらに低減することができる。また、操作部４２と水圧表示部４３の、取り付け金具を一体形成する構成とすることで、構成部品点数の削減ができ、コストダウンも可能である。
【産業上の利用可能性】
【００１９】
以上のように、本発明の温水暖房装置は、作業ロスを低減でき、作業性を向上でき、サービス性も良く、安全性も確保することができるので、温水暖房装置のほか、各種機器、装置に適用できる。
【図面の簡単な説明】
【００２０】
【図１】本発明の実施の形態１における温水暖房装置の構成図
【図２】同温水暖房装置の熱交換ユニットの構成図
【図３】同熱交換ユニットの外観斜視図
【図４】同熱交換ユニットの内部斜視図
【図５】同熱交換ユニットの操作部と水圧表示部を開けたときの内部斜視図
【図６】同熱交換ユニットの要部斜視図
【図７】本発明の実施の形態２における温水暖房装置の熱交換ユニットの操作部と水圧表示部を開けたときの内部斜視図
【符号の説明】
【００２１】
１０  ヒートポンプユニット    
２０  熱交換ユニット
２１  水冷媒熱交換器    
２２  ポンプ
３０  温水暖房端末
４０  電装部
４１  電源板
４２  操作部
４３  水圧表示部
４４  操作部取り付け金具
４５  水圧表示部取り付け金具
４６  一体形成取り付け金具
４７  保護カバー
４８  打ち抜き穴
５０  電源接続部
【図１】
2010121841.tif 000003
【図２】
2010121841.tif 000004
【図３】
2010121841.tif 000005
【図４】
2010121841.tif 000006
【図５】
2010121841.tif 000007
【図６】
2010121841.tif 000008
【図７】
2010121841.tif 000009